(57)【要約】【課題】幼少者から高齢者に至るまで、誰もが簡単に使用でき、かつ、安価な、個人向けの占い玩具を提供する。【解決手段】名刺大の矩形の基板１の内寄りに、周縁に平行に溝を形成し、蓋板２の背面の周縁に溝に嵌合する嵌合しろを有した側壁３を立設し、両板１、２を重ねて形成される対向空間４に五色の占い用円板５を内包させる。蓋板２の基板１の対向面に円板５の受け部６を設け、受け部６の位置に真円の覗き窓７を設ける。各覗き窓７に「恋愛運」、「健康運」、「金運」の占い要素を対応させ、覗き窓７の下方に円板５の色と占い結果の対応表８を刻印する。本体を揺動させて内部の円板５を分散させた後、本体板面を略垂直にして、円板５を自然落下させ、三箇所の受け部６に嵌入させる。嵌入した円板５の色によって、各占い要素の結果を知る。【選択図】  図３
2004202085.tif 000002
【特許請求の範囲】
【請求項１】
基板と蓋板を有し、両板の少なくとも一方には側壁が立設されており、両板を重ねて、その側壁によって形成される対向空間に、色分けされた複数の円板又は球を内包してなり、両板のいずれか一方の対向面に、前記円板又は球が、その対向面に沿う共通の一方向に出入り自在となった受け部が複数形成されており、それとともに、両板のいずれか一方の、その受け部に対応する位置に覗き窓が設けられており、その覗き窓を通して、受け部に嵌入した前記円板又は球の色が視認可能となっており、各覗き窓に、金運、恋愛運等の占い要素を対応させてなる占い玩具。
【請求項２】
上記両板の少なくとも一方の外面に、上記覗き窓を通じて視認される円板又は球の色に対応する占い結果が表示されている請求項１に記載の占い玩具。
【請求項３】
請求項１に記載の占い玩具において、上記受け部と覗き窓が一つづつ設けられており、内包されているものが円板であり、その円板が色分けされていることに代えて、表面に「大吉」、「凶」等の吉凶の種類が表示されている占い玩具。
【発明の詳細な説明】
【０００１】
【発明の属する技術分野】
この発明は、占い玩具に関する。
【０００２】
【従来の技術】
占いは、元来、厳粛な宗教的行為であるが、その結果が人生を左右するということで、老若男女、地域、時代にかかわらず、人々の興味の尽きないものである。現代ではそれが転じて大衆性を帯び、娯楽的、遊戯的一面をも有するようになっている。従って、出版物や玩具を初めとして、占いを遊びとして楽しむための様々な商品が世に出回っている。
【０００３】
特許出願としては、情報化社会を反映して、コンピュータを利用して占い対象要素とその結果をやりとりするシステムに関するものが多い（例えば、下記の特許文献等参照）。
【０００４】
【特許文献１】
特開２００２−２２４４２５号公報
【特許文献２】
特開２００２−１４９８９１号公報
【特許文献３】
特開２００２−０３５４０５号公報
【特許文献４】
特開２００２−３２５６５２号公報
【０００５】
【発明が解決しようとする課題】
しかしながら、コンピュータを利用したものは、データ量が多く、占い結果に多様性がある、といった利点はあるものの、占い、という素朴な趣に欠けるきらいがある。また、いかに情報化社会でコンピュータが広く普及したとはいえ、幼少の者や高齢者は、コンピュータの扱いに不慣れで、また、億劫である。
【０００６】
しかも上記特許文献を初めとするコンピュータを利用したものは、インターネット回線を利用してデータのやりとりを行う業務用のものが多い。
【０００７】
この発明の課題は、先ず、家庭で遊ぶことのできる個人向けの玩具を前提とし、占い、という素朴な趣を壊すことのない、幼少の者から高齢者に至るまで誰もが簡単に遊ぶことのできる、安価な占い玩具を提供することにある。
【０００８】
【課題を解決するための手段】
上記課題を解決するために、この発明の占い玩具は、以下のような簡単な構成を採用することにより、持ち運びもでき、簡単に取り扱えるものにしたのである。
【０００９】
すなわち、この発明の玩具は、基板と蓋板を有し、両板の少なくとも一方には側壁が立設されており、両板を重ねて、その側壁によって形成される対向空間に、色分けされた複数の円板又は球を内包してなり、両板のいずれか一方の対向面に、前記円板又は球が、その対向面に沿う共通の一方向に出入り自在となった受け部が複数形成されており、それとともに、両板のいずれか一方の、その受け部に対応する位置に覗き窓が設けられており、その覗き窓を通して、受け部に嵌入した前記円板又は球の色が視認可能となっており、各覗き窓に、金運、恋愛運等の占い対象要素を対応させてなる構成のものとしたのである。
【００１０】
このような構成の玩具であれば、先ず、上記基板と蓋板を、例えば、名刺大とし、その厚みも、両者を重ねた際に衣服のポケットに挿入できる程度のものになるようにすれば、ポケットに挿入して携帯用とすることができる。
【００１１】
また、基板と蓋板の材料は、上記のような構造のものであれば、樹脂を用いて製作できるので、材料費も製造コストも安くて済む。
【００１２】
完成した占い玩具としての使用法（遊び方）は、先ず、本体を揺動させて内部の円板又は球を分散させる。その後、円板又は球が前記受け部に嵌入する方向に本体を倒して、円板又は球が自然落下で受け部に落ち込むようにする。受け部に落ち込んだ円板又は球は、その位置の覗き窓からその色を視認することができるので、その色に応じて、各覗き窓に対応させた占い要素（例えば、恋愛運、金運、健康運等）の結果を照らし合わせることにより、占いの結果を知ることができる。
【００１３】
なお、その覗き窓を通じて視認した円板又は球の色に対応する占い結果は、本体とは別体の表示用紙や表示板に記しておいてもよいが、基板か蓋板の少なくとも一方の外面に表示しておけば、別体の表示用紙や表示板等の場合のように、それらを失うおそれがなく、また、直ぐに確認できて便利である。
【００１４】
上記構成の玩具において、上記受け部と覗き窓を一つづつ設けて、内包するものを円板とし、その円板を色分けすることに代えて、その表面に「大吉」、「凶」等の吉凶の種類を表示する玩具とすることもできる。
【００１５】
【発明の実施の形態】
以下、図を参照してこの発明の実施の形態を説明する。図１は実施形態の占い玩具１０の全体斜視図である。この占い玩具１０は、樹脂で形成された名刺大の矩形の基板１と、それと同じ外形寸法の蓋板２を有しており、それらが重ねられて玩具本体を成している。本体の厚みは一般のワイシャツのポケットに挿入可能な厚みであり、具体的には８ｍｍ程度である。
【００１６】
図２は、その本体を、基板１と蓋板２に分解して示したものであり、図の左側が基板１、右側が蓋板２である。図に示すように、基板１の両側縁と下縁の内寄りには、周縁に平行に溝１ｇが形成されている。
【００１７】
他方、蓋板２の背面の周縁には側壁３が立設されており、その側壁３の、前記基板１の溝１ｇに対応する三辺の部分に、その溝１ｇに嵌合する板状の嵌合しろ３ｇが形成されている。基板１と蓋板２はこの嵌合しろ３ｇと溝１ｇを嵌合させて組み立てられ、基板１に蓋板２を重ねた際、蓋板２側の側壁３によって対向面の間に空間が生ずるようになっている。この対向空間４に、前記した占い用の円板５が内包される。対向空間４の対向距離、すなわち、蓋板２側の側壁３の高さは円板５の厚みより僅かに大きい程度のものとなっており、本体を揺動させた際、円板５が両板１、２の対向面に沿ってスムーズに移動できるようになっている。円板５は複数のものが、黒、赤、黄、緑、青の五色に色分けされている。
【００１８】
蓋板２の基板１に対する対向面には、板の長さ方向中央寄りの短辺に平行な線上に、その円板５を受けるＵ字状の受け部６が三個形成されている。Ｕ字の軸芯は蓋板２の長さ方向となっており、この方向で円板５を受けるようになっている。
【００１９】
また、蓋板２の、その受け部６の位置には真円の覗き窓７が設けられており、その真円の中心と受け部６のＵ字の中心とは一致するようになっている。この覗き窓７は蓋板２の外面から内面に掛けて直径が小さくなってゆくすり鉢型になっており、その小さい方の円の直径は、前記円板５の直径より僅かに小さな寸法になっている。各覗き窓７は、占い要素に対応しており、そこに嵌入した円板５の色によって、各占い要素の結果が分かるようになっている。この実施形態では、図の左側の覗き窓７に「恋愛運」、中央の覗き窓７に「健康運」、右側の覗き窓７には「金運」の占い要素を対応させている。
【００２０】
そして、その蓋板２の外面の前記覗き窓７の並びの下方に、その覗き窓７を通して視認した円板５の色に対応する占い結果の対応表８を刻印している。以上が、この実施形態の占い玩具の構成である。次に、その遊び方について説明する。
【００２１】
先ず、本体を揺動させて内部の円板５を分散させる。その後、本体を傾けて円板５を上辺側に偏らせた後、本体板面を略垂直にして、円板５を自然落下させ、三箇所の受け部６に嵌入させるようにする。各受け部６は、前記したように、「恋愛運」、「健康運」、「金運」の各占い要素に対応しているので、それぞれの覗き窓７に現れた円板５の色により、その覗き窓７の下部に刻印された対応表８に照らし合わせて、各占い要素の占い結果を知る。
【００２２】
例えば、「恋愛運」に対応させた左側の受け部６に青色の円板５が嵌入して、覗き窓７から青色が視認されると、最高の恋愛運であり、「健康運」に対応した中央の受け部６に赤色の円板５が嵌入して、その覗き窓７に赤色が視認されると、健康状態は最悪である、といった結果になるわけである。
【００２３】
この実施形態では、その色と占い結果の対応表８を本体表面に刻印したが、内容が常時同じであっては、遊戯者に飽きが来るので、商品化の際には、対応表８が印刷されたテーブル用紙を別途販売するようにしてもよい。
【００２４】
なお、この実施形態では、基板１と蓋板２の対向空間４内に内包させるものを円板５としたが、球体でもよい。
【００２５】
以上は、基板１と蓋板２の対向空間４の中に色分けした複数の円板５を内包させ、その円板５の色でもって占いを行う場合の実施形態を示したが、次に、円板５の色で判定する占いではなく、吉凶で運勢を判定する占い玩具の場合を示す。そのものの構成を図４に示す。このものも、図に示すように、同じ外形寸法の矩形の基板１と蓋板２を有し、それらを重ねて形成した本体の対向空間４内に円板５を内包したものである。前者のものと異なるのは、色分けした円板５に代えて、表面に「大吉」、「中吉」、「吉」、「凶」の４種の文字を付した円板５’を投入していることである。また、それとともに受け部６’とそれに対応する覗き窓７’も、蓋板２の下部寄りに、それぞれ一つづつ設けているだけである。受け部６’は半円状を成し、半円の両端に導入用の傾斜壁９が設けてある。円板５はこの傾斜壁９に沿って受け部６に嵌入する。
【００２６】
遊び方は、前記の占い玩具と同じで、本体を揺動させて円板５を分散させた後、本体板面を垂直方向に向けて自然落下によって受け部６’に嵌入させる。そうすると、覗き窓７’から「大吉」、「中吉」、「吉」、「凶」のいずれかの文字が視認できるので、それによって占い結果とする。
【００２７】
各占い結果の具体的な内容については、色占いの時に述べたように、その内容を印刷した用紙を別途販売する形にするとよい。
【００２８】
なお、図５には前記した色占い用の玩具の基板の裏面に鏡１１を付属させたものを示している。１２は、その鏡１１を覆う蓋板であり、基板１の上縁を回動軸として、その回りに回動可能となっている。
【００２９】
また、図６には基板１の裏面に定期入れを付属させたものを示している。
【００３０】
【発明の効果】
以上説明したように、この発明の占い玩具は、上記のような簡易な構成としたので、年少者から高齢者まで、誰もが簡単に遊べる、という効果がある。
【図面の簡単な説明】
【図１】実施形態の占い玩具の全体斜視図。
【図２】図１の玩具を分解して、その基板と蓋板のみを示したもの。
【図３】（ａ）に円板の分散前の状態を示し、（ｂ）に、占い直後の状態を示したものである。
【図４】他の実施形態を示したものである。
【図５】鏡を付属させたものを示したものである。
【図６】定期入れを付属させたものを示したものである。
【符号の説明】
１  基板
２  蓋板
３  側壁
４  対向空間
５、５’  円板
６、６’  受け部
７  ７’  覗き窓
８  対応表
９  傾斜壁
１０  占い玩具
【図１】
2004202085.tif 000003
【図２】
2004202085.tif 000004
【図３】
2004202085.tif 000005
【図４】
2004202085.tif 000006
【図５】
2004202085.tif 000007
【図６】
2004202085.tif 000008